(57)【要約】【課題】液晶パネルの静電気を防止するのに適した液晶表示装置を提供する。【解決手段】液晶パネルと、前記液晶パネルの外郭を覆うケーストップと、前記液晶パネルとケーストップの間に配置されて電気的なコンタクトを提供する導電部材とを含むことを特徴とする。【選択図】      図６
2005141236.tif 000002
【特許請求の範囲】
【請求項１】
液晶パネルと、
前記液晶パネルの外郭を覆うケーストップと、
前記液晶パネルとケーストップの間に配置されて電気的なコンタクトを提供する導電部材とを含むことを特徴とする液晶表示装置。
【請求項２】
前記導電部材は、前記液晶パネルとケーストップとコンタクトすることを特徴とする請求項１に記載の液晶表示装置。
【請求項３】
前記液晶パネルを支持し、前記導電部材とコンタクトする絶縁性のサポートメインを更に含むことを特徴とする請求項１に記載の液晶表示装置。
【請求項４】
前記サポートメインは突起を更に含むことを特徴とする請求項３に記載の液晶表示装置。
【請求項５】
前記導電部材は前記突起に挟まれるコイルであることを特徴とする請求項４に記載の液晶表示装置。
【請求項６】
前記液晶パネルは、２つの向き合う基板を含んでなり、前記両基板のうち一基板は前記サポートメインとコンタクトすることを特徴とする請求項３に記載の液晶表示装置。
【請求項７】
前記導電部材は板スプリングであることを特徴とする請求項１に記載の液晶表示装置。
【請求項８】
前記導電部材は前記ケーストップに取り付けられることを特徴とする請求項１に記載の液晶表示装置。
【請求項９】
前記導電部材は液晶パネルに取り付けられることを特徴とする請求項１に記載の液晶表示装置。
【請求項１０】
前記導電部材は弾性を有することを特徴とする請求項１に記載の液晶表示装置。
【請求項１１】
前記導電部材は圧縮可能であることを特徴とする請求項１に記載の液晶表示装置。
【請求項１２】
液晶パネルと、
前記液晶パネルの外郭を覆うケーストップと、
前記ケーストップに液晶パネルをグラウンディングする圧縮手段とを含むことを特徴とする液晶表示装置。
【請求項１３】
前記圧縮手段は前記液晶パネルとケーストップの間に物理的なコンタクトを提供することを特徴とする請求項１２に記載の液晶表示装置。
【請求項１４】
前記液晶パネルを支持し、前記導電部材とコンタクトする絶縁性のサポートメインを更に含むことを特徴とする請求項１２に記載の液晶表示装置。
【請求項１５】
前記圧縮手段は前記液晶パネルと、サポートメインの間に物理的なコンタクトを提供することを特徴とする請求項１４に記載の液晶表示装置。
【請求項１６】
前記圧縮手段は前記サポートメインによって横方向に拘束されることを特徴とする請求項１４に記載の液晶表示装置。
【請求項１７】
前記圧縮手段は非接着性を有することを特徴とする請求項１２に記載の液晶表示装置。
【請求項１８】
前記圧縮手段は前記ケーストップに取り付けられることを特徴とする請求項１２に記載の液晶表示装置。
【請求項１９】
前記圧縮手段は弾性を有することを特徴とする請求項１２に記載の液晶表示装置。
【請求項２０】
液晶パネルと、
前記液晶パネルの外郭を覆うケーストップと、
前記液晶パネルを支持する絶縁性サポートメインと、
前記ケーストップと、前記液晶パネル及びサポートメインのうち少なくとも何れか一方との間に電気的なコンタクトを有する圧縮導電部材とを含むことを特徴とする液晶表示装置。
【請求項２１】
前記導電部材は前記液晶パネル及びサポートメインのうち少なくとも一方とコンタクトすることを特徴とする請求項２０に記載の液晶表示装置。
【請求項２２】
前記導電部材は液晶パネルとサポートメインとに共にコンタクトすることを特徴とする請求項２１に記載の液晶表示装置。
【請求項２３】
前記導電部材は前記サポートメインによって横方向に拘束されることを特徴とする請求項２０に記載の液晶表示装置。
【請求項２４】
前記サポートメインは前記導電部材を横方向に拘束する突起を含むことを特徴とする請求項２３に記載の液晶表示装置。
【請求項２５】
前記導電部材は前記突起に配置されたコイルであることを特徴とする請求項２４に記載の液晶表示装置。
【請求項２６】
前記液晶パネルは互いに向き合う基板を含んでなり、前記基板のうち一つと前記サポートメインとがコンタクトすることを特徴とする請求項２０に記載の液晶表示装置。
【請求項２７】
前記導電部材は板スプリングであることを特徴とする請求項２０に記載の液晶表示装置。
【請求項２８】
前記導電部材は前記ケーストップに取り付けられることを特徴とする請求項２０に記載の液晶表示装置。
【請求項２９】
前記導電部材は前記液晶パネルに取り付けられることを特徴とする請求項２０に記載の液晶表示装置。
【請求項３０】
前記導電部材は弾性を有することを特徴とする請求項２０に記載の液晶表示装置。
【請求項３１】
ディスプレイパネルと、
前記ディスプレイパネルの外郭を覆うケーストップと、
前記ディスプレイパネルを支持する絶縁性サポートメインと、
前記ケーストップにコンタクトし、前記ケーストップに前記ディスプレイパネルをグラウンディングする弾性導電部材とを含んでなる携帯用表示装置。
【請求項３２】
前記弾性部材は前記ディスプレイパネルを物理的にコンタクトすることを特徴とする請求項３１に記載の携帯用表示装置。
【請求項３３】
前記弾性部材は前記サポートメインを物理的にコンタクトすることを特徴とする請求項３２に記載の携帯用表示装置。
【請求項３４】
前記導電部材は前記サポートメインによって横方向に拘束されることを特徴とする請求項３１に記載の携帯用表示装置。
【請求項３５】
前記サポートメインは前記導電部材を横方向に拘束する延長部を有することを特徴とする請求項３４に記載の携帯用表示装置。
【請求項３６】
前記導電部材は前記サポートメインの延長部上に配置されることを特徴とする請求項３５に記載の携帯用表示装置。
【発明の詳細な説明】
【技術分野】
【０００１】
本発明は液晶表示装置に関し、特に液晶表示パネルの静電気を除去するのに適した液晶表示装置に関する。
【背景技術】
【０００２】
通常の液晶表示装置は、液晶表示モジュールと、この液晶表示モジュールを駆動するための駆動回路部と、ケースとで構成されている。
液晶表示モジュールは、２枚のガラス基板の間に液晶が注入され、マトリックス状に配列された液晶セルと、これらの液晶セルに供給される信号を各々切替するためのスイッチ素子で構成された液晶パネルと、この液晶パネルに光を照射するバックライトユニットとで構成されている。
【０００３】
また、液晶表示モジュールにはバックライトユニットから液晶パネル側に進む光を垂直に立てるための光シートが配列される。
【０００４】
このような液晶パネル、バックライトユニット及び光シートは、光損失を防止するために一体化した形態で締結されなければならず、外部の衝撃によって損傷しないように保護されなければならない。
このために、液晶パネルの周縁を含むバックライトユニット、及び光シートを包むように形成された液晶表示装置用ケーストップが備えられるようになった。
【０００５】
駆動回路部は、印刷回路基板(以下‘ＰＣＢ’)に実装され、液晶パネルを駆動する。この際、液晶パネルとＰＣＢの信号伝達のためにテープキャリアパッケージ(以下‘ＴＣＰ’)が使用され、下板ガラス及びＰＣＢに導電性樹脂を用いて直接取り付ける。ＴＣＰはポリアミッドのような柔軟性材質層の間に金属性導電層が単層或いは多層挿入された構造を有している。
【０００６】
このように液晶表示モジュールはガラス基板を含み、外部の衝撃によって損傷しやすいので、外部の衝撃による液晶表示モジュールの損傷を防止するために液晶表示モジュールの外部を包んで保護するケーストップが使用された。
【０００７】
以下、添付の図面を参考にして従来の液晶表示装置を説明する。
【０００８】
図１は液晶パネルを接地するための従来の液晶表示装置を示す平面図で、図２は図１のＩ−Ｉ’線による液晶表示装置を示す断面図である。
図１及び図２に示したように、従来の液晶表示装置は、反射板４２、導光板４４、前記導光板４４上に積層された複数個の光学シート４６と、それぞれの背面に第１、第２偏光板４０ａ、４０ｂが置かれた互いに向き合う基板を含む液晶表示パネル４８と、前記液晶表示パネル４８を支持するプラスチックサポートメイン３４と、前記サポートメイン３４と液晶パネル４８の周縁を包むケーストップ３２及びカバーボトム３６とで構成されている。
【０００９】
また、従来の液晶表示装置は、一方の表面にＣｕ又はＡｌの導電性テープ３８を使用する。このように、前記導電性テープ３８は、一方の表面は導電性金属が形成され、他方の表面は粘着性物質が塗布されている。前記導電性テープ３８の接着部分が前記ケーストップ３２に取り付けられる時、前記導電性テープ３８の金属表面は液晶表示パネル４８の上部ガラス基板、サポートメイン３４及びカバーボトム３６とコンタクトする。この際、前記導電性テープ３８は前記液晶表示パネル４８で発生する静電気をカバーボトム３６に放電させる役割を果たす。
【発明の開示】
【発明が解決しようとする課題】
【００１０】
しかしながら、液晶表示装置の大量生産から起因した導電性テープの取付欠陥によって次のような問題点が発生する。
【００１１】
前記導電性テープは、液晶表示パネルに狭い面積を有して取り付けられる。また、導電性テープ製造の間、高温及び振動状態に置かれるため、狭い面積の導電性テープの接着力が弱くなり、導電性テープが液晶表示パネルから外れやすくなる。前記液晶表示パネルから導電性テープが外れると、前記液晶表示パネルとカバーボトムとの間にグラウンディング欠陥を引き起こし、これは液晶表示パネルに染みの形成を発生させる原因となる。
【００１２】
本発明は上記の問題点を解決するために案出されたもので、液晶パネルの静電気を防止するのに適した液晶表示装置を提供することにその目的がある。
【課題を解決するための手段】
【００１３】
上記目的を達成するための本発明に係る液晶表示装置は、液晶パネルと、前記液晶パネルの外郭を覆うケーストップと、前記液晶パネルとケーストップの間に配置されて電気的なコンタクトを提供する導電部材とを含むことを特徴とする。
【００１４】
前記導電部材は、前記液晶表示パネルがケーストップに装着される時、前記導電部材は前記ケーストップの内側面に装着され、液晶表示パネルと物理的にコンタクトする。
前記導電性部材は、装着時に前記液晶表示パネルを支持するサポートメインと物理的にコンタクトする。前記導電部材は、突起又は前記サポートメインから延長した類似した延長部によって横方向に拘束される。前記導電部材は弾性を有し、例えばパンスプリング又はコイルである。
【００１５】
他の実施形態で、本発明の液晶表示装置は、前記ケーストップに液晶表示パネルをグラウンディングする圧縮手段を備える。
【００１６】
他の実施形態で、本発明の携帯用表示装置は、ディスプレイパネルと、前記ディスプレイパネルの外郭を覆うケーストップと、前記ディスプレイパネルを支持する絶縁性サポートメインと、前記ケーストップにコンタクトし、前記ケーストップに前記ディスプレイパネルをグラウンディングする弾性導電部材とを含んでなることを特徴とする。
【発明の効果】
【００１７】
本発明に係る液晶表示装置には次のような効果がある。
【００１８】
第一に、ケーストップの内部に液晶パネルを組立てる時に発生する静電気を、前記ケーストップ及び液晶パネルの外郭と接触するスプリングを形成してそのスプリングを介してケーストップに放電することで、静電気から液晶パネルを保護することができる。
【００１９】
第二に、サポートメインの上部面の所定の部分に形成されたガイドパターンにコイルを挟めてケーストップを組立てることにより、液晶パネルから発生する静電気を前記コイルを介してケーストップに放電することができる。
【００２０】
第三に、スプリング又はコイルを介してケーストップと液晶パネルとを接地させることで、導電性テープの使用による作業不良を最小化することができる。
【発明を実施するための最良の形態】
【００２１】
以下、添付の図面に基づいて本発明に係る液晶表示装置を詳細に説明する。
【００２２】
図３乃至図８ｂは、本発明の一実施形態に係る液晶表示装置又は携帯用表示装置（例えば、ラップトップコンピューターのように、運搬が容易な程度で充分に軽くて小さい装置）を示す図面である。
【００２３】
図３は本発明の一実施形態に係る液晶表示装置に適用された板スプリングを示す斜視図で、図４は図３の板スプリングが取り付けられたケーストップを示す斜視図で、図５は図４のＢ部分を拡大した斜視図で、図６は図４及び図５のII−II’線による本発明の液晶表示装置を示す断面図で、図７ａ及び図７ｂはそれぞれケーストップに液晶パネルが組立てられる前後の液晶表示装置の状態を示す斜視図で、図８ａ及び図８ｂはそれぞれケーストップに液晶パネルが組立てられる前後のスプリングの状態を示す図面である。
【００２４】
図面に示したように、本発明の一実施形態に係る液晶表示装置は、液晶表示パネル１２０と、前記液晶表示パネル１２０を支持する非導電性サポートメイン１１２とを含む。前記液晶表示パネル１２０は互いに向き合う第１、第２ガラス基板１１０ａ、１１０ｂを含み、前記第１、第２ガラス基板１１０ａ、１１０ｂの表面（背面）にはそれぞれ第１、第２偏光板１０９ａ、１０９ｂが形成されている。前記第２ガラス基板１１０ｂ上には液晶セルマトリックスと、前記液晶セルに信号をスイッチングするためのスイッチング素子が形成される。前記第１ガラス基板１０１ａ上には、例えばカラーフィルター層、ブラックマトリックス層及び／又は共通電極を含む。
【００２５】
本発明の一実施形態に係る液晶表示装置は、導光板１０６、反射板１０５及び光学シート１０７を含むバックライトユニットを有する。前記導光板１０６は、実質的に前記液晶表示パネル１２０の全体をカバーリングする面積を通じて現れる光をガイドする。反射板１０５は前記導光板１０６の下部に配置され、前記液晶表示パネル１２０から前記導光板１０６を抜け出る反射光が前記液晶表示パネル１２０に戻る。前記反射板１０５は前記導光板１０６とコンタクトする。
【００２６】
図示したように、前記導光板１０６の先端に触れ合わず、前記導光板１０６よりは小さい大きさで形成される。他の実施形態では、前記反射板１０５は前記導光板１０６より大きく形成可能であることを示した（図１０参照）。
【００２７】
光学シート１０７は前記導光板１０６と前記液晶表示パネル１２０の間に前記導光板１０６上に配置される。前記光学シート１０７は、互いに隣接した第１、第２プリズムシート１０７ａ、１０７ｂ、及び拡散板１０７ｃのような複数個の個別シートを含む。
前記光学シート１０７は、前記導光板１０６から前記液晶表示パネル１２０に向かって光を屈折させる。前記第１、第２プリズムシート１０７ａ、１０７ｂは、前記拡散板１０７ｃが前記入射角を広める間、前記液晶表示パネル１２０に触れる光を均一に分散させるように、視野方向で輝度を向上させる。
【００２８】
前記液晶表示パネル１２０、導光板１０６、及び光学シート１０７は、光損失を最小化し、外部の衝撃に対抗して装置を保護するように締結される。液晶表示パネル１２０は外部の衝撃に対して割れやすい第１、第２ガラス基板を有するので、光損失を最小化し、外部の衝撃に対して装置を保護するためには、ケーストップ１０４は、前記液晶表示パネル１２０、導光板１０６、及び光学シート１０７の周縁を包むように形成される。
特に、前記ケーストップ１０４は、前記液晶表示装置の周縁を包むようにして前記サポートメイン１１２に締結される。
【００２９】
前記サポートメイン１１２は、例えば、モールディングによってプラスチックで形成される。前記サポートメイン１１２は、内部の側壁に一つ以上の段を有する。前記液晶表示パネル１２０が前記段のうち何れかに置かれるように前記液晶表示パネル１２０を位置させる。
【００３０】
更に、図示したように、前記第２偏光板１０９ｂは前記サポートメイン１１２にコンタクトするが、他の実施形態では前記第２基板１１０ｂの外郭が前記サポートメイン１１２とコンタクトすることもできる。前記サポートメイン１１２はまた前記導光板１０６と、光学シート１０７が対応する部位に一つ又はそれ以上の段を備える。図６には示していないが、ランプ又は他の光源は前記サポートメイン１１２の段のうち何れかに挟まれることができる（図１０参照）。
【００３１】
前記ケーストップ１０４は、前記液晶表示装置の外郭を囲み、前記カバーボトム１１１とコンタクトする。前記ケーストップ１０４と前記カバーボトム１１１は、金属、例えばステンレススチルのような物質で形成される。前記カバーボトム１１１は、スクリュー又は他の手段によって前記サポートメイン１１２に取り付けられる。前記カバーボトム１１１は、前記液晶表示パネル１２０の周縁を覆うように、前面部と前記前面部に垂直な側面部を有する四角フレームの形状で製造される。
【００３２】
前記ケーストップ１０４の側面部は、前記カバーボトム１１１の側面に取り付けられる。
図示したように、前記ケーストップ１０４は、前記液晶表示パネル１２０又はサポートメイン１１２と直接コンタクトしない。
【００３３】
図５に示したように、弾性導電物質からなる板スプリング１０２（図３参照）は、前記ケーストップ１０４の所定の部位に取り付けられる。より詳細には、前記板スプリング１０２は実質的に平かな第１面１０２ａと、実質的にアーク形状を有する第２面１０２ｂとを含む。前記第１面１０２ａの先端の一方と、前記第２面１０２ｂとが連結される。
前記第１面１０２ａは、両面導電性テープ、半田づけ、スナップフィト構造、一つ以上のスクリュー又は他の手段によって前記ケーストップ１０４の上部面に取り付ける。
【００３４】
前記第２面１０２ａは、前記サポートメイン１１２と前記第１ガラス基板１１０ａとにコンタクトし、前記第１ガラス基板１１０ａ及び／又はサポートメイン１１２に導電性テープ、半田づけなどによって取り付けられることができる。又は前記サポートメイン１１２に取り付けられず、単に前記第１ガラス基板１１０ａとコンタクトすることもできる。
【００３５】
図８ａ及び図８ｂは、液晶表示装置の他の部分やケーストップ１０４を図示せず、それぞれ液晶表示パネル１２０を前記ケーストップ１０４に装着する前後のスプリング１０２の状態を示す。図示したように、前記第１面の先端はＵ字型である。
【００３６】
前記スプリング１０２が前記ケーストップ１０４に取り付けられる前には、前記第２板１０２ｂの先端は前記第１面１０２ａのＵ字型の先端内に殆ど位置しない。前記スプリング１０２が前記ケーストップ１０４に取り付けられる時、前記第２面１０２ｂのアーク型の中間部分が押圧され、前記第２板１０２ｂの先端が前記第１面１０２ａのＵ字型の先端に延長される。更に、前記第２板１０２ｂの先端に触れ合うように形成することもできる。 
【００３７】
前記スプリング１０２の圧縮、或いは非圧縮された形状は図７ａ及び図７ｂにそれぞれ図示した。これは、前記ケーストップ１０４を省略し、前記カバーボトム１１１、サポートメイン１１２、第１ガラス基板１１０ａ、第１編光板１０９ａに沿って図示した前記スプリング１０２を示す。
【００３８】
図９は本発明の他の実施形態に係る液晶表示装置を示す斜視図で、図１０は図９のIII−III’線による液晶表示装置の断面図である。
【００３９】
図９によれば、本発明の他の実施形態に係る液晶表示装置は、上述した第１実施形態と同様に、液晶表示パネル２２０と、非導電性サポートメイン２０１と、前記液晶表示パネルを支持するサポートメイン２０１とを含む。前記液晶表示パネル２２０は、互いに向き合う第１、第２ガラス基板２１０ａ、２１０ｂを含み、前記第１、第２ガラス基板２１０ａ、２１０ｂの表面（背面）にはそれぞれ第１、第２偏光板２０９ａ、２０９ｂが形成されている。前記第２ガラス基板２１０ｂ上には液晶セルマトリックスと、前記液晶セルに信号をスイッチングするためのスイッチング素子が形成される。前記第１ガラス基板２０１ａ上には例えば、カラーフィルター層、ブラックマトリックス層及び／又は共通電極を含む。
【００４０】
本発明の他の実施形態に係る液晶表示装置は、光源２１１、導光板２０６、反射板２０５及び光学シート２０７を含むバックライトユニットを有する。前記導光板２０６は、実質的に前記液晶表示パネル２２０の全体をカバーリングする面積を通じて現れる光をガイドする。前記光源２１１は、前記導光板２０６の先端に隣接して配置される。
【００４１】
前記光源２１１は、前記光源２１１から前記導光板２０６に向かって光を反射させる反射性ランプハウジング２０８によって囲まれる。前記反射板２０５は、前記導光板２０６の下部に配置され、前記液晶表示パネル２２０から前記導光板２０６を抜け出る反射光が前記液晶表示パネル２２０に戻るようにする。
【００４２】
前記反射板２０５は前記導光板２０６とコンタクトし、前記導光板２０６の先端より更に延長して形成される。前記ランプハウジング２０８は前記導光板２０６の先端とオーバーラップし、一部の図示によれば、前記導光板２０６の互いに向き合った前面及び背面の先端と触れ合い、結果的に前記反射板２０５とオーバーラップする。
【００４３】
図示してはいないが、複数個の光源が前記導光板２０６の一方又は両方の先端に対応して形成されるか、或いは導光板を省略し、前記光源の光学シートの下端部位にアレイ形態で配列することもできる。
【００４４】
光学シート２０７は、前記導光板２０６と前記液晶表示パネル２２０の間に前記導光板２０６上に配置される。前記光学シート２０７は、互いに隣接した第１、第２プリズムシート２０７ａ、２０７ｂ、及び拡散板２０７ｃのような複数個の個別シートを含む。前記光学シート２０７は、前記導光板２０６から前記液晶表示パネル２２０に向かって光を屈折させる。
【００４５】
前記液晶表示パネル２２０、導光板２０６、及び光学シート２０７は光損失を最小化し、外部の衝撃に対抗して装置を保護するように締結される。液晶表示パネル１２０は、外部の衝撃に対して割れやすい第１、第２ガラス基板を有するので、光損失を最小化しかつ外部の衝撃に対して装置を保護するためには、ケーストップ２０４は前記液晶表示パネル２２０、導光板２０６、及び光学シート２０７の周縁を包むように形成される。特に、前記ケーストップ２０４は前記液晶表示装置の周縁を包むようにして前記サポートメイン２０１に締結される。
【００４６】
前記サポートメイン２０１は例えば、モールディングによってプラスチックのような絶縁体で形成される。前記サポートメイン２０１は、前記液晶表示パネル２２０が位置するように、内部の側壁に一つ以上の段を有する。更に、図示したように、前記第２偏光板２０９ｂは前記サポートメイン２０１の一段とコンタクトする。しかし、他の実施形態では、前記第２基板２１０ｂの外郭が前記サポートメイン２０１とコンタクトすることもできる。
【００４７】
前記サポートメイン２０１はまた前記光源２１１に対応して一つ又はそれ以上の段を備える。前記サポートメイン２０１はまた、その上部面から延長する突起２０２を有する。
前記突起２０２は、前記サポートメイン２０１を形成するモールディング工程で共に形成されることができ、或いはモールディング工程以後に取り付けられて形成されることもできる。前記光源２１１及びランプハウジング２０８は、スクリュー、接着剤、半田づけ、又は他の手段によって前記サポートメイン２０１に締結されることができる。
【００４８】
前記ケーストップ２０４は、前記液晶表示装置の外郭を囲み、前記カバーボトム２１２とコンタクトする。前記ケーストップ２０４と前記カバーボトム２１２は、金属、例えばステンレススチルのような物質で形成される。前記カバーボトム２１２は、スクリュー又は他の手段によって前記サポートメイン１１２に取り付けられる。前記カバーボトム２１２は、前記液晶表示パネル２２０の周縁を覆うように、前面部と前記前面部に垂直な側面部を有する四角フレームの形状で製造される。
【００４９】
前記ケーストップ２０４の側面部は前記カバーボトム２１２の側面に取り付けられる。
前記ケーストップ２０４は、前記液晶表示装置に組立てられた後、前記液晶表示パネル２２０に取り付けられる。図示したように、前記ケーストップ２０４は、前記液晶表示パネル２２０又はサポートメイン２０１と直接コンタクトすることはない。
【００５０】
弾性導電物質からなるコイル２０３が前記サポートメイン２０１の突起２０２上に配置され、前記突起２０２によって横方向に拘束される。前記コイル２０３は前記突起２０２に配置され、結果的に前記ケーストップ２０４は、前記コイル２０３とコンタクトすることと同様に前記液晶表示パネルに取り付けられる。特に、コイル２０３の上部が前記ケーストップ２０４とコンタクトする。
【００５１】
前記コイル２０３は、前記コイル２０３の下部が前記サポートメイン２０１及び第１ガラス基板２１０ａとコンタクトできる位の充分な大きさで形成する。前記コイル２０３は前記液晶表示パネル２２０を前記ケーストップ２０４にグラウンディングさせ、液晶表示パネル２２０に静電気が集中することを防止する。
【００５２】
図では一つの突起２０２及びコイル２０３の組立が示されているが、複数個の突起及びコイルの適用も可能である。類似には、前記コイル２０３は、前記サポートメイン２０１と第１ガラス基板２１０ａ及びケーストップの間にコンタクト可能な程度の大きさを有すれば何れの形状も可能である。前記コイル２０３の上部及び下部は、第１実施形態における板スプリング１０２と類似した形式で前記ケーストップ２０４及び／又はサポートメイン２０１及び／又は第１ガラス基板２０１ａに取り付けることができる。
【００５３】
液晶表示パネルをケーストップの内側に装着する時に発生する静電気は、前記液晶表示パネルからケーストップの所定の部分に位置したスプリングによって放電される。したがって、液晶表示パネルは静電気から保護される。このように、本発明の液晶表示装置は、ケーストップと液晶表示パネルをグラウンディングする時に別途の付加的な導電性テープを使用せず、スプリング又は他の圧縮手段を用いることができる。従って、付加的な導電性テープの取付欠陥により発生する問題点を最小化することができる。
【００５４】
一方、以上で説明した本発明は、上述した実施形態及び添付の図面に限定されるものではなく、本発明の技術的な思想を外れない範囲内で様々な置換、変形及び変更が可能なことは本発明の属する技術分野で通常の知識を有する者には自明なことであろう。
【図面の簡単な説明】
【００５５】
【図１】液晶パネルを接地するための従来の液晶表示装置を示す平面図である。
【図２】図１のＩ−Ｉ’線による液晶表示装置を示す断面図である。
【図３】本発明の液晶表示装置に適用された板スプリングを示す斜視図である。
【図４】図３の板スプリングが取り付けられたケーストップを示す斜視図である。
【図５】図４のＢ部分を拡大した斜視図である。
【図６】図４及び図５のII−II’線による本発明の液晶表示装置を示す断面図である。
【図７ａ】それぞれケーストップに液晶パネルが組立てられる前後の液晶表示装置の状態を示す斜視図である。
【図７ｂ】それぞれケーストップに液晶パネルが組立てられる前後の液晶表示装置の状態を示す斜視図である。
【図８ａ】それぞれケーストップに液晶パネルが組立てられる前後のスプリングの状態を示す図面である。
【図８ｂ】それぞれケーストップに液晶パネルが組立てられる前後のスプリングの状態を示す図面である。
【図９】本発明の他の実施形態による液晶表示装置を示す斜視図である。
【図１０】図９のIII−III’線による液晶表示装置の断面図である。
【符号の説明】
【００５６】
１０２：板スプリング  
１０４、２０４：ケーストップ
１０５、２０５：反射板
１０６、２０６：導光板
１０７、２０７：光学シート
１０９ａ、２０９ａ：第１偏光板
１０９ｂ、２０９ｂ：第２偏光板
１１０ａ、２１０ａ：第１ガラス基板
１１０ｂ、２１０ｂ：第２ガラス基板
１１１、２１２：カバーボトム
１１２、２０１：サポートメイン
２０２：ガイドパターン
２０３：コイルスプリング
２１１：ランプ
１２０、２２０：液晶パネル
【図１】
2005141236.tif 000003
【図２】
2005141236.tif 000004
【図３】
2005141236.tif 000005
【図４】
2005141236.tif 000006
【図５】
2005141236.tif 000007
【図６】
2005141236.tif 000008
【図７ａ】
2005141236.tif 000009
【図７ｂ】
2005141236.tif 000010
【図８ａ】
2005141236.tif 000011
【図８ｂ】
2005141236.tif 000012
【図９】
2005141236.tif 000013
【図１０】
2005141236.tif 000014